(57)【特許請求の範囲】
【請求項１】
複数のサブスクリプションに関連するモバイルデバイスからワイヤレス通信ネットワークへ要求を送ることを備え、前記要求は、前記モバイルデバイスによって要求される期間を前記ワイヤレス通信ネットワークが前記モバイルデバイスとの無線通信を控えるように要求される非通信期間として示し、
前記期間は、別のワイヤレス通信ネットワークのページングサイクル情報、前記ワイヤレス通信ネットワークの不連続送信（ＤＴＸ）スケジュール、前記モバイルデバイスの不連続受信（ＤＲＸ）スケジュール、アプリケーションのサービス品質（ＱｏＳ）またはそれらの任意の組合せに基づいて前記モバイルデバイスで識別され、
前記モバイルデバイスは、前記非通信期間の間第２の無線通信ネットワークと無線通信し、前記非通信期間の後、前記ワイヤレス通信ネットワークとの無線通信に戻るように構成される、方法。
【請求項２】
前記要求が前記期間の開始指標、前記期間の長さ、前記期間の周期性またはそれらの任意の組合せを含む、請求項１に記載の方法。
【請求項３】
前記期間は、さらに、前記モバイルデバイスの測定期間に基づいて前記モバイルデバイスで識別される、請求項１に記載の方法。
【請求項４】
前記ワイヤレス通信ネットワークによって前記期間を前記要求される非通信期間として許可することを示す確認応答メッセージを受信することをさらに備える、請求項１に記載の方法。
【請求項５】
前記非通信期間の開始と、前記非通信期間の終了と、前記非通信期間の長さのうちの少なくとも１つを更新するために、前記ワイヤレス通信ネットワークに第２の要求を送ることをさらに備える、請求項４に記載の方法。
【請求項６】
前記非通信期間の開始に応じて、前記モバイルデバイスを前記ワイヤレス通信ネットワークから前記第２のワイヤレス通信ネットワークへチューニングすることをさらに備える、請求項４に記載の方法。
【請求項７】
前記非通信期間の終了に応じて、前記モバイルデバイスを前記第２のワイヤレス通信ネットワークから前記ワイヤレス通信ネットワークへチューニングすることをさらに備える、請求項６に記載の方法。
【請求項８】
前記要求が動的なレイヤ１またはレイヤ２通信セッションを介して送信される、請求項１に記載の方法。
【請求項９】
前記動的なレイヤ１またはレイヤ２通信セッションが約１０ミリ秒の持続時間を有する、請求項８に記載の方法。
【請求項１０】
前記要求がレイヤ３通信セッションを介して送信される、請求項１に記載の方法。
【請求項１１】
前記レイヤ３通信セッションが１００ミリ秒以上の持続時間を有する、請求項１０に記載の方法。
【請求項１２】
前記モバイルデバイスが、第１のサブスクリプションに関連する第１の加入者識別モジュール（ＳＩＭ）と、第２のサブスクリプションに関連する第２の加入者識別モジュールと、前記第１のＳＩＭと前記第２のＳＩＭによって共有される受信／送信（ＲＸ／ＴＸ）チェーンとを備える、請求項１に記載の方法に記載の方法。
【請求項１３】
前記第１のサブスクリプションと前記第２のサブスクリプションのうちの少なくとも１つが、グローバルシステムフォーモバイルコミュニケーション（ＧＳＭ）サブスクリプション、汎用パケット無線サービス（ＧＰＲＳ）サブスクリプション、ＧＳＭ進化型高速データレート（ＥＤＧＥ）サブスクリプション、ユニバーサルモバイル通信システム（ＵＭＴＳ）サブスクリプション、汎用無線アクセスネットワーク（ＧＲＡＮ）サブスクリプション、エボリューションデータ最適化（１ｘ／ＤＯ）サブスクリプション、ロングタームエボリューション（ＬＴＥ）サブスクリプション、広帯域符号分割多元接続（ＷＣＤＭＡ）サブスクリプション、またはそれらの任意の組合せである、請求項１２に記載の方法。
【請求項１４】
各々が加入者識別モジュール（ＳＩＭ）を受信するように構成された複数のＳＩＭインターフェースと、
プロセッサと、
モバイルデバイスからワイヤレス通信ネットワークへ要求を送るために前記プロセッサによって実行可能な命令を記憶するメモリと、を備え、前記要求は、前記モバイルデバイスによって要求される期間を、前記ワイヤレス通信ネットワークが前記モバイルデバイスとの無線通信を控えるように要求される非通信期間として示し、前記期間は、別のワイヤレス通信ネットワークのページングサイクル情報、前記ワイヤレス通信ネットワークの不連続送信（ＤＴＸ）スケジュール、前記モバイルデバイスの不連続受信（ＤＲＸ）スケジュール、アプリケーションのサービス品質（ＱｏＳ）またはそれらの任意の組合せに基づいて前記モバイルデバイスで識別され、
前記モバイルデバイスは、前記非通信期間の間第２のワイヤレス通信ネットワークと無線通信し、前記非通信期間の後、前記ワイヤレス通信ネットワークとの無線通信に戻るように構成される、モバイルデバイス。
【請求項１５】
第１のサブスクリプションを表す、第１のＳＩＭインターフェースに結合された第１のＳＩＭと、
第２のサブスクリプションを表す、第２のＳＩＭインターフェースに結合された第２のＳＩＭと、
前記第１のＳＩＭと前記第２のＳＩＭによって共有され、前記ワイヤレス通信ネットワークを介して通信するように構成された受信／送信（ＲＸ／ＴＸ）チェーンとをさらに備える、請求項１４に記載のモバイルデバイス。
【請求項１６】
プロセッサによって実行されたとき、前記プロセッサに、
複数のサブスクリプションに関連するモバイルデバイスからワイヤレス通信ネットワークへ要求を送らせる命令を備え、前記要求は、前記モバイルデバイスによって要求される期間を前記ワイヤレス通信ネットワークが前記モバイルデバイスとの無線通信を控えるように要求される非通信期間として示し、
前記期間は、別のワイヤレス通信ネットワークのページングサイクル情報、前記ワイヤレス通信ネットワークの不連続送信（ＤＴＸ）スケジュール、前記モバイルデバイスの不連続受信（ＤＲＸ）スケジュール、アプリケーションのサービス品質（ＱｏＳ）またはそれらの任意の組合せに基づいて前記モバイルデバイスで識別され、
前記モバイルデバイスは、前記非通信期間の間第２のワイヤレス通信ネットワークと無線通信し、前記非通信期間の後、前記ワイヤレス通信ネットワークとの無線通信に戻るように構成される、非一時的コンピュータ可読媒体。
【請求項１７】
複数のサブスクリプションに関連するモバイルデバイスに関するワイヤレス通信ネットワークの非通信期間として要求される少なくとも１つの期間を識別するための手段と、
前記少なくとも１つの識別された期間を示す要求を前記ワイヤレス通信ネットワークに送るための手段と、を備え、前記ワイヤレス通信ネットワークは、前記非通信期間の間、前記モバイルデバイスとの無線通信を控えるように要求され、前記期間は、別のワイヤレス通信ネットワークのページングサイクル情報、前記ワイヤレス通信ネットワークの不連続送信（ＤＴＸ）スケジュール、前記モバイルデバイスの不連続受信（ＤＲＸ）スケジュール、アプリケーションのサービス品質（ＱｏＳ）またはそれらの任意の組合せに基づいて前記モバイルデバイスで識別され、
前記モバイルデバイスは、前記非通信期間の間第２のワイヤレス通信ネットワークと無線通信し、前記非通信期間の後、前記ワイヤレス通信ネットワークとの無線通信に戻るように構成される、装置。
【請求項１８】
前記モバイルデバイスのチューニングを前記ワイヤレス通信ネットワークから少なくとも１つの第２のワイヤレス通信ネットワークへ切り替えるためのチューンアウェイ手段をさらに備える、請求項１７に記載の装置。
【請求項１９】
複数のサブスクリプションに関連するモバイルデバイスからワイヤレス通信ネットワークで要求を受信すること、を備え、前記要求は、前記モバイルデバイスによって要求される期間を前記モバイルデバイスに関する前記ワイヤレス通信ネットワークの非通信期間として示し、前記期間は、別のワイヤレス通信ネットワークのページングサイクル情報、前記ワイヤレス通信ネットワークの不連続送信（ＤＴＸ）スケジュール、前記モバイルデバイスの不連続受信（ＤＲＸ）スケジュール、アプリケーションのサービス品質（ＱｏＳ）またはそれらの任意の組合せに基づき、
前記ワイヤレス通信ネットワークは、前記要求に応答して、前記非通信期間の間、前記モバイルデバイスとの通信を控え、前記非通信期間の終了後、前記モバイルデバイスとの無線通信に戻るように構成される、方法。
【請求項２０】
前記要求を受信することに応じて、前記モバイルデバイスに確認応答メッセージを送ること、をさらに備える、請求項１９に記載の方法。
【請求項２１】
前記非通信期間の間、前記ワイヤレス通信ネットワークから前記モバイルデバイスへの通信を防止することが、前記非通信期間の間、前記モバイルデバイスにデータを送信しないことを備える、請求項２０に記載の方法。
【請求項２２】
前記要求とは無関係に前記ワイヤレス通信ネットワークによってスケジュールされた圧縮モード期間の間、前記ワイヤレス通信ネットワークと前記モバイルデバイスとの間の通信を防止することをさらに備える、請求項２０に記載の方法。
【請求項２３】
前記モバイルデバイスが前記圧縮モード期間の間、信号測定を実行するようにスケジュールされる、請求項２２に記載の方法。
【請求項２４】
前記要求に基づいて、前記ワイヤレス通信ネットワークの不連続送信／不連続受信（ＤＴＸ／ＤＲＸ）スケジュールを更新することをさらに備える、請求項１９に記載の方法。
【請求項２５】
複数のサブスクリプションに関連するモバイルデバイスからワイヤレス通信ネットワークで要求を受信し、前記要求は、前記モバイルデバイスによって要求される期間を前記モバイルデバイスに関する前記ワイヤレス通信ネットワークの非通信期間として示し、前記期間は、別のワイヤレス通信ネットワークのページングサイクル情報、前記ワイヤレス通信ネットワークの不連続送信（ＤＴＸ）スケジュール、前記モバイルデバイスの不連続受信（ＤＲＸ）スケジュール、アプリケーションのサービス品質（ＱｏＳ）またはそれらの任意の組合せに基づき、
前記要求を受信することに応じて、前記モバイルデバイスに確認応答メッセージを送るように構成されたインターフェースと、
プロセッサと、
前記非通信期間の間、前記ワイヤレス通信ネットワークから前記モバイルデバイスへの無線通信の送信を防止し、前記非通信期間の終了後、前記モバイルデバイスへの無線通信の送信に戻るように前記プロセッサによって実行可能な命令を記憶するメモリと、
を備える、装置。
【請求項２６】
前記命令が、前記要求とは無関係に前記ワイヤレス通信ネットワークによってスケジュールされた圧縮モード期間の間、前記ワイヤレス通信ネットワークと前記モバイルデバイスとの間の通信を防止するためにプロセッサによってさらに実行可能である、請求項２５に記載の装置。
【請求項２７】
プロセッサによって実行されたとき、前記プロセッサに、
複数のサブスクリプションに関連するモバイルデバイスからワイヤレス通信ネットワークで要求を受信させる命令であって、前記要求が、前記モバイルデバイスによって要求される期間を前記モバイルデバイスに関する前記ワイヤレス通信ネットワークの非通信期間として示す、命令を備え、
前記期間は、別のワイヤレス通信ネットワークのページングサイクル情報、前記ワイヤレス通信ネットワークの不連続送信（ＤＴＸ）スケジュール、前記モバイルデバイスの不連続受信（ＤＲＸ）スケジュール、アプリケーションのサービス品質（ＱｏＳ）またはそれらの任意の組合せに基づき、
前記ワイヤレス通信ネットワークは、前記要求に応答して、前記非通信期間の間、前記モバイルデバイスとの通信を控え、前記非通信期間の終了後、前記モバイルデバイスとの無線通信に戻るように構成される、非一時的コンピュータ可読媒体。
【請求項２８】
プロセッサによって実行されたとき、前記プロセッサに、
前記要求を受信することに応じて、前記モバイルデバイスへ確認応答メッセージを送信させる命令をさらに備える、請求項２７に記載の非一時的コンピュータ可読媒体。
【請求項２９】
複数のサブスクリプションに関連するモバイルデバイスからワイヤレス通信ネットワークで要求を受信するための手段と、前記要求は、前記モバイルデバイスによって要求される期間を前記モバイルデバイスに関する前記ワイヤレス通信ネットワークの非通信期間として示し、前記期間は、別のワイヤレス通信ネットワークのページングサイクル情報、前記ワイヤレス通信ネットワークの不連続送信（ＤＴＸ）スケジュール、前記モバイルデバイスの不連続受信（ＤＲＸ）スケジュール、アプリケーションのサービス品質（ＱｏＳ）またはそれらの任意の組合せに基づき、
前記非通信期間の間、前記ワイヤレス通信ネットワークから前記モバイルデバイスへの無線通信の送信を防止し、前記非通信期間の終了後、前記モバイルデバイスへの無線通信の送信に戻るための手段と、
を備える、装置。
【請求項３０】
前記要求を受信したことに応じて、確認応答メッセージを前記モバイルデバイスに送るための手段をさらに備える、請求項２９に記載の装置。
【発明の詳細な説明】
【技術分野】
【０００１】
優先権の主張
本出願は、その内容全体が参照により本明細書に明白に組み込まれる、２０１１年１月２５日に出願された、米国仮特許出願第６１／４３６，１８２号の優先権を主張する。
【０００２】
本発明は、モバイル通信システムに関する。
【背景技術】
【０００３】
技術の進歩により、コンピューティングデバイスは、より小型でより強力になった。たとえば、現在、小型で軽量な、ユーザが容易に持ち運べるポータブルワイヤレス電話、携帯情報端末（ＰＤＡ）、およびページングデバイスなどのワイヤレスコンピューティングデバイスを含む様々なポータブルパーソナルコンピューティングデバイスが存在する。より具体的には、セルラー電話やインターネットプロトコル（ＩＰ）電話などのポータブルワイヤレス電話は、音声およびデータのパケットをワイヤレスネットワークを介して通信することができる。多くのそのようなワイヤレス電話は、エンドユーザに拡張機能を提供するために追加のデバイスを組み込んでいる。たとえば、ワイヤレス電話は、デジタルスチルカメラ、デジタルビデオカメラ、デジタルレコーダ、およびオーディオファイルプレーヤをも含むことができる。また、そのようなワイヤレス電話は、ウェブブラウザアプリケーションなど、インターネットにアクセスするために使用できるソフトウェアアプリケーションを実行することができる。したがって、これらのワイヤレス電話はかなりの計算能力を含むことができる。
【０００４】
一部のワイヤレス電話は、複数のサブスクリプション能力を含んでもよい。たとえば、各サブスクリプションは異なるワイヤレス電話番号と関連付けられてもよい。ワイヤレス電話が多重サブスクリプション能力を含む場合、ワイヤレス電話は、１つまたは複数の二次ネットワークでデータをリッスン（listen）するために、時折一次ネットワークからチューンアウェイ（tuneaway）してもよい。第１のネットワークから第２のネットワークへのチューンアウェイの間、ワイヤレス電話は第１のネットワークと同期外れになり得る。チューンアウェイ期間の間、第１のネットワークによってワイヤレス電話に送信または再送信されるメッセージは、ワイヤレス電話によって受信されない場合がある。
【発明の概要】
【０００５】
ワイヤレス通信ネットワークとのチューンアウェイスケジュールのモバイルデバイス制御ネゴシエーションのシステムおよび方法を開示する。本システムおよび方法は、多重サブスクリプションをサポートするワイヤレス電話および他のモバイルデバイスとともに使用されてもよい。たとえば、ワイヤレス電話は、２つの加入者識別モジュール（ＳＩＭ）をデュアルスタンバイデュアルＳＩＭ（ＤＳＤＳ）構成の一部としてサポートしてもよい。このワイヤレス電話は、各ＳＩＭに対応する異なるネットワークを含む２つのネットワークに登録してもよい。一旦登録されると、ワイヤレス電話は、ＩＤＬＥ状態の間、両方のネットワークのページをリッスンすることができ得る。このワイヤレス電話はまた、他のサブスクリプションに関するパケット転送モードの間、１つのサブスクリプションのページをリッスンすることもでき得る。
【０００６】
本明細書で開示する多重サブスクリプション（たとえばＤＳＤＳなど）のモバイルデバイスは、要求（request）をモバイル通信ネットワークに（たとえば、モバイル通信ネットワークの基地局に）送信してもよい。要求は、モバイルデバイスに関するワイヤレス通信ネットワークの非通信期間（たとえば、ギャップサイクルまたはスロットなど）として、モバイル通信デバイスによって要求される１つまたは複数の期間を示してもよい。このワイヤレス通信ネットワークは、要求を確認し、許可してもよい。このモバイルデバイスは、許可された非通信期間をチューンアウェイのために利用してもよい。このワイヤレス通信ネットワークは、非通信期間の間、モバイルデバイスへのデータの通信を中止してもよい。
【０００７】
特定の実施形態では、方法は、複数のサブスクリプションに関連するモバイルデバイスからワイヤレス通信ネットワークへ要求を送ることを含む。この要求は、モバイルデバイスに関するワイヤレス通信ネットワークの非通信期間としてモバイルデバイスによって示される期間を示す。
【０００８】
別の特定の実施形態では、装置は、各々がサブスクリプションを表す加入者識別モジュール（ＳＩＭ）を受信するように構成された複数のＳＩＭインターフェースを含む。この装置は、プロセッサと、モバイルデバイスからワイヤレス通信ネットワークへ要求を送るためにプロセッサによって実行可能な命令を記憶するメモリとを含む。この要求は、モバイルデバイスに関するワイヤレス通信ネットワークの非通信期間としてモバイルデバイスによって示される期間を示す。
【０００９】
別の特定の実施形態では、方法は、複数のサブスクリプションに関連するモバイルデバイスから要求をワイヤレス通信ネットワークで受信することを含む。この要求は、モバイルデバイスに関するワイヤレス通信ネットワークの非通信期間としてモバイルデバイスによって要求される期間を示す。
【００１０】
別の特定の実施形態では、装置は、複数のサブスクリプションに関連するモバイルデバイスから要求をワイヤレス通信ネットワークで受信するように構成されたインターフェースを含む。この要求は、モバイルデバイスに関するワイヤレス通信ネットワークの非通信期間としてモバイルデバイスによって要求される期間を示す。このインターフェースはまた、要求を受信したことに応じて、確認応答メッセージをモバイルデバイスに送るようにも構成される。この装置は、プロセッサと、非通信期間の間、ワイヤレス通信ネットワークからモバイルデバイスへの通信を中止するためにプロセッサによって実行可能な命令を記憶するメモリとをさらに含む。
【００１１】
開示する実施形態のうちの少なくとも１つによって提供される１つの特定の利点は、ワイヤレス通信ネットワークでのスペクトル帯域幅の使用が改善され得ることである。たとえば、ワイヤレス通信ネットワークは、非通信期間としてモバイルデバイスによって要求され、モバイルデバイスに対して許可された期間の間、モバイルデバイスへの通信を中止してもよい。
【００１２】
本開示の他の態様、利点、および特徴は、以下の節、図面の簡単な説明、発明を実施するための形態、および特許請求の範囲を含む、本出願全体を検討した後、明らかになろう。
【図面の簡単な説明】
【００１３】
【図１】非通信期間を要求するためのシステムの特定の実施形態を示す図。
【図２】非通信期間を要求するためのシステムの別の特定の実施形態を示す図。
【図３】図１のシステムまたは図２のシステムでの動作の特定の実施形態を示すラダー図。
【図４】非通信期間を要求する方法の特定の実施形態を示す流れ図。
【図５】要求される非通信期間の間、ワイヤレス通信ネットワークからモバイルデバイスへの通信を防止する方法の特定の実施形態を示す流れ図。
【図６】多重サブスクリプションをサポートするモバイル通信デバイスのブロック図。
【発明を実施するための形態】
【００１４】
図１は、非通信期間を要求するためのシステム１００の特定の実施形態を示す図である。システム１００は、第１のワイヤレス通信ネットワーク１２０および第２のワイヤレス通信ネットワーク１３０と通信するように構成されたモバイルデバイス１１０を含む。代替実施形態では、モバイルデバイス１１０は、任意の数のワイヤレス通信ネットワークと通信するように構成されてもよい。
【００１５】
特定の実施形態では、モバイルデバイス１１０は多重サブスクリプションをサポートしてもよい。たとえば、モバイルデバイス１１０は、第１のワイヤレス通信ネットワーク１２０への第１のサブスクリプションと、第２のワイヤレス通信ネットワーク１３０への第２のサブスクリプションとを同時にサポートするワイヤレス電話であってもよい。
【００１６】
ワイヤレス通信ネットワーク１２０、１３０の各々は、複数のセルを含む地理的エリアをカバーしてもよい。特定のネットワークによってカバーされるそのようなセルは各々、そのセルに「キャンプ（“camped）」オンしたモバイルデバイスへデータを送信する、または、そのモバイルデバイスからデータを受信する役目を果たす１つまたは複数の基地局またはタワーを含んでもよい。さらに、ワイヤレス通信ネットワーク１２０、１３０は、異なる無線アクセス技術に従って動作してもよい。たとえば、第１のワイヤレス通信ネットワーク１２０はロングタームエボリューション（ＬＴＥ：long term evolution）ネットワークであってもよく、第２のワイヤレス通信ネットワーク１３０は、グローバルシステムフォーモバイルコミュニケーション（ＧＳＭ（登録商標）：global system for mobile communications）ネットワークであってもよい。汎用パケット無線サービス（ＧＰＲＳ）、ＧＳＭ進化型高速データレート（ＥＤＧＥ：enhanced data rates for GSM evolution）、ユニバーサルモバイル通信システム（ＵＭＴＳ）、汎用無線アクセスネットワーク（ＧＲＡＮ：generic radio access network）、エボリューションデータ最適化（１ｘ／ＤＯ）および広帯域符号分割多元接続（ＷＣＤＭＡ（登録商標））などの代替技術、ならびに他の無線アクセス技術もまた使用されてもよい。
【００１７】
動作時、モバイルデバイス１１０は、異なるワイヤレス通信ネットワークのページまたは他のメッセージをリッスンするために、１つのワイヤレス通信ネットワークから周期的にチューンアウェイしてもよい。たとえば、第１のワイヤレス通信ネットワーク１２０はモバイルデバイス１１０のための「一次」ネットワークであってもよく、モバイルデバイス１１０は第２のワイヤレス通信ネットワーク１３０（たとえば、「二次」ネットワークなど）のページをリッスンするために、第１のワイヤレス通信ネットワーク１２０から周期的にチューンアウェイしてもよい。例示のために、チューンアウェイは、第２のワイヤレス通信ネットワーク１３０のページングスケジュールに従って生じてもよい。そのようなチューンアウェイの間、モバイルデバイス１１０は第１のワイヤレス通信ネットワーク１２０と同期外れになる場合があり、第１のワイヤレス通信ネットワーク１２０によるモバイルデバイス１１０へのメッセージの送信／再送信は失敗する場合があり、その結果スペクトル帯域幅が無駄になる。チューンアウェイはまた、モバイルデバイス１１０の作動中の無線周波数（ＲＦ）帯域を変更すること、モバイルデバイス１１０の作動中の復号または復調方式を変更すること、モバイルデバイス１１０の作動中の無線アクセス技術を変更すること、または任意のそれらの組合せを含んでもよい。
【００１８】
送信／再送信の失敗を軽減するために、モバイルデバイス１１０はチューンアウェイプロセスの特性を制御してもよく、チューンアウェイを実行する前に、第１のワイヤレス通信ネットワーク１２０に通知してもよい。たとえば、モバイルデバイス１１０は、チューンアウェイを実行するための候補の期間として、１つまたは複数の期間（たとえば、「ギャップ」サイクルまたはスロットなど）を識別してもよい。この期間は、モバイルデバイス１１０、第１のワイヤレス通信ネットワーク１２０、第２のワイヤレス通信ネットワーク１３０、または任意のそれらの組合せに特有の要因に基づいて識別されてもよい。たとえば、この期間は、第２のワイヤレス通信ネットワーク１３０のページングサイクル情報（たとえば、第２のワイヤレス通信ネットワーク１３０は、どれだけ頻繁に、どれだけ長くモバイルデバイス１１０が同期し、ページを受信することを予想するのかなど）に基づいて識別されてもよい。
【００１９】
別の例として、この期間は、第１のワイヤレス通信ネットワーク１２０の不連続送信（ＤＴＸ）スケジュール、またはモバイルデバイス１１０の不連続受信（ＤＲＸ）スケジュールに基づいて識別されてもよい。例示のために、回線交換ＣＤＭＡ基地局は音声通話の間の通信の中止（たとえば、無音の期間）をスケジュールしてもよく、モバイルデバイス１１０は、そのような無音の期間が別のネットワークへのチューンアウェイのための候補であると判断してもよい。さらなる例として、この期間はモバイルデバイス１１０の測定期間（たとえば、モバイルデバイスがチューンアウェイを実行するのに、または第２のワイヤレス通信ネットワーク１３０の信号強度を測定するのにどのくらいの時間がかかるのかなど）に基づいて識別されてもよい。別の例として、この期間は、アプリケーションのサービス品質（ＱｏＳ）に基づいて識別されてもよい。例示のために、モバイルデバイス１１０で実行中の特定のアプリケーションが一定の品質、周波数、または第１のワイヤレス通信ネットワーク１２０もしくは第２のワイヤレス通信ネットワーク１３０への接続の長さを予想する場合、モバイルデバイス１１０はそのような予想に適合する候補のチューンアウェイ期間を識別してもよい。
【００２０】
モバイルデバイス１１０は、モバイルデバイス１１０に関する第１のワイヤレス通信ネットワーク１２０の要求される非通信期間として、１つまたは複数の識別された期間を示す要求１１２を送信してもよい。要求１１２は、期間の開始指標（たとえば、無線フレームまたはスロット番号など）、期間の長さ（たとえば、いくつかの無線フレームまたはスロットなど）、期間の周期性、またはそれらの任意の組合せを含んでもよい。
【００２１】
要求１１２に応答して、第１のワイヤレス通信ネットワーク１２０は、確認応答メッセージ１１４をモバイルデバイス１１０に送信してもよい。確認応答メッセージは、第１のワイヤレス通信ネットワーク１２０が非通信期間として示された期間を許可していること、および第１のワイヤレス通信ネットワーク１２０が、許可された非通信期間の間、第１のワイヤレス通信ネットワーク１２０とモバイルデバイス１１０との間の通信を防止することを示してもよい。第１のワイヤレス通信ネットワーク１２０は、様々な方法を使用して、モバイルデバイス１１０との通信を防止または中止してもよい。たとえば、モバイルデバイス１１０との通信を防止することは、非通信期間の間、基地局からモバイルデバイス１１０へデータを送信しないことを含んでもよい。代替または追加として、第１のワイヤレス通信ネットワーク１２０は、ＤＴＸ／ＤＲＸスケジュールを作成または変更するために、非通信期間を使用してもよい。要求される非通信期間は、第１のワイヤレス通信ネットワーク１２０が、モバイルデバイス１１０が信号の測定を実行し、信号測定結果を報告すると予想する圧縮モードの期間などの他の事前スケジュールされた送信ギャップから独立していてもよいことに留意されたい。
【００２２】
確認応答メッセージ１１４を受信すると、モバイルデバイス１１０は、非通信期間の開始時に第２のワイヤレス通信ネットワーク１３０へのチューンアウェイ１１６を実行してもよい。モバイルデバイス１１０は、非通信期間の終了時に第１のワイヤレス通信ネットワーク１２０に戻りチューニングしてもよい。モバイルデバイス１１４が確認応答メッセージを受信しない（たとえば、モバイルデバイス１１０が代わりに、応答を受信せず、または拒否メッセージを受信する）ならば、モバイルデバイス１１０は要求１１２を再送信してもよく、（たとえば、異なる期間のパラメータを含む）異なる要求を送信してもよく、任意に、もしくは以前にスケジュールされた仕方で、またはそれらの任意の組合せでチューンアウェイを実行してもよい。
【００２３】
図１に示す特定の実施形態は２つのサブスクリプションと２つのワイヤレスネットワークとを含んでいるが、本明細書に開示するシステムおよび方法は、任意の数のサブスクリプションおよびワイヤレスネットワークとともに使用されてもよいことに留意されたい。たとえば、代替の２つのネットワークの実施形態は、ワイヤレスネットワーク１２０、１３０の各々からチューンアウェイ期間を要求するモバイルデバイスを含んでもよい。さらに別の実施形態では、モバイルデバイス１１０は再帰的な仕方でチューンアウェイ期間を要求してもよい。たとえば、モバイルデバイス１１０は、モバイルデバイス１１０が第２のワイヤレス通信ネットワーク１３０へチューンアウェイし、第２のワイヤレス通信ネットワーク１３０から要求されたネスト化されたチューンアウェイ期間の間、第２のワイヤレス通信ネットワーク１３０から第３のワイヤレス通信ネットワーク（図示せず）にさらにチューンアウェイしてもよい拡張されたギャップ期間を第１のワイヤレス通信ネットワーク１２０に要求してもよい。
【００２４】
第１のワイヤレス通信ネットワーク１２０はチューンアウェイ１１６を承知しているので、チューンアウェイ１１６の間、モバイルデバイス１１０と通信しようとすることを回避し得、それによってメッセージ送信／再送信の失敗を軽減し、改善されたスペクトル帯域幅の利用が達成されることが諒解されよう。また、図１のシステム１００は、個々のモバイルデバイスが非通信期間を制御できるようにしてもよいことも諒解されよう。異なるモバイルデバイスは異なるチューンアウェイ要件を有し得るので、デバイス指定の非通信期間は、ＤＴＸ／ＤＲＸギャップまたは圧縮モードギャップなどのネットワーク制御のギャップよりもチューンアウェイにより適合し得る。
【００２５】
図２は、非通信期間を要求するためのシステム２００の別の特定の実施形態を示す図である。システム２００は、第１のワイヤレス通信ネットワーク２２０および第２のワイヤレス通信ネットワーク２３０と通信するように構成されたモバイルデバイス２１０を含む。例示的な一実施形態では、モバイルデバイス２１０は図１のモバイルデバイス１１０であってもよく、第１のワイヤレス通信ネットワーク２２０は図１の第１のワイヤレス通信ネットワーク１２０であってもよく、第２のワイヤレス通信ネットワーク２３０は図１の第２のワイヤレス通信ネットワーク１３０であってもよい。
【００２６】
特定の実施形態では、モバイルデバイス２１０はデュアルスタンバイデュアルＳＩＭ（ＤＳＤＳ）デバイスであってもよい。たとえば、モバイルデバイス２１０は、第１のワイヤレス通信ネットワーク２２０への第１のサブスクリプションに関連する第１のＳＩＭ２１２を（たとえば、電気接触を介して）受信するように構成された第１のＳＩＭインターフェース２１１を含んでもよい。モバイルデバイス２２０はまた、第２のワイヤレス通信ネットワーク２３０への第２のサブスクリプションに関連する第２のＳＩＭ２１４を受信するように構成された第２のＳＩＭインターフェース２１３を含んでもよい。サブスクリプションの各々は、ＬＴＥサブスクリプション、ＧＳＭサブスクリプション、ＧＰＲＳサブスクリプション、ＥＤＧＥサブスクリプション、ＵＭＴＳサブスクリプション、ＧＲＡＮサブスクリプション、１ｘ／ＤＯサブスクリプション、ＷＣＤＭＡサブスクリプション、何らかの他のサブスクリプション、またはそれらの任意の組合せであってもよい。
【００２７】
モバイルデバイス２１０は、第１のＳＩＭ２１２と第２のＳＩＭ２１４との間で共有される共通受信／送信（ＲＸ／ＴＸ）チェーン２１６と、共通ＲＸ／ＴＸチェーン２１６へのアクセスを調停するように構成されたコントローラ２１５とをさらに含んでもよい。モバイルデバイス２１０は、単一のＲＸ／ＴＸチェーンを使用して多重サブスクリプションをサポートしてもよいので、チューンアウェイを実行してもよい。デバイスの製造業者は追加のＲＸ／ＴＸチェーンを含めることによってチューンアウェイの必要性を除去してもよいが、ＲＸ／ＴＸチェーンの追加によって、より高価で、よりバッテリー効率の低いモバイルデバイスになる場合があることに留意されたい。
【００２８】
動作中、モバイルデバイス２１０は、１つまたは複数の非通信期間を求める要求２１７を第１のワイヤレス通信ネットワーク２２０に送信してもよい。例示的な一実施形態では、要求２１７は、図１の要求１１２であってもよい。モバイルデバイス２１０は、要求２１７に応答して、第１のワイヤレス通信ネットワーク２２０から確認応答（図示せず）を受信してもよい。確認応答を受信すると、モバイルデバイス２１０は、非通信期間の間、第２のワイヤレス通信ネットワーク２３０へのチューンアウェイ２１９を実行してもよい。
【００２９】
特定の実施形態では、モバイルデバイスは、レイヤ１（Ｌ１）、レイヤ２（Ｌ２）またはレイヤ３（Ｌ３）の通信セッションを介して、要求２１７を第１のワイヤレス通信ネットワークに送信してもよい。たとえば、要求２１７は、ＷＣＤＭＡシステムの無線リソース制御（ＲＲＣ）などの半静的なＬ３シグナリングを介して送信されてもよい。Ｌ３セッションは、１００ミリ秒以上の持続時間を有してもよい。代替的に、要求２１７は動的なＬ１またはＬ２シグナリングを介して送信されてもよく、これらのシグナリングは約１０ミリ秒の持続時間を有してもよく、拡張アップリンク（ＥＵＬ）スケジューリング情報、チャネル品質指示（ＣＱＩ）報告パターンまたはアップリンク物理レイヤＬ１シグナリングに依存し得る。半静的な更新は、低減されたシグナリングオーバーヘッドで、ネットワークに対して事前に定められたギャップ期間を提唱してもよく、一方で動的なシグナリングは、より高いシグナリングオーバーヘッドのコストで、モバイルデバイスの条件（たとえば、アップリンク（ＵＬ）バッファ状態など）を考慮できるようにしてもよい。
【００３０】
例示のために、ＷＣＤＭＡの実装形態では、モバイルデバイス１１０はＲＲＣシグナリングを介して「ＵＥ  ＧＡＰ  ＵＰＤＡＴＥ  ＲＥＱＵＥＳＴ」メッセージを送信してもよく、このメッセージは、第１のワイヤレス通信ネットワーク２２０に対して要求される非通信期間を示す。このメッセージは、ＩＤＬＥまたはＣＯＮＮＥＣＴＥＤモード状態のいずれかで通信されてもよい。たとえば、ＵＭＴＳに関して、メッセージは順方向アクセスチャネル（Ｃｅｌｌ＿ＦＡＣＨ）状態、専用チャネル（Ｃｅｌｌ＿ＤＣＨ）状態およびＩＤＬＥ状態で適用可能であってもよい。第１のワイヤレス通信ネットワーク２２０は、確認応答として、「ＵＥ  ＧＡＰ  ＵＰＤＡＴＥ  ＣＯＮＦＩＲＭ」メッセージをモバイルデバイス２１０に送信してもよい。モバイルデバイス２１０はその後、第１のワイヤレス通信ネットワーク２２０の異なるセルにキャンプオンする場合、別の「ＵＥ  ＧＡＰ  ＵＰＤＡＴＥ  ＲＥＱＵＥＳＴ」メッセージを送信してもよい。
【００３１】
特定の実施形態では、モバイルデバイス２１０は、第２の要求２１８を第１のワイヤレス通信ネットワーク２２０に送信することによって、以前に許可した非通信期間を更新するために動作可能であってもよい。たとえば、モバイルデバイス２１０は、非通信期間の長さまたは周波数を増加または減少させてもよい。例示のために、非通信期間の周波数は、第２のワイヤレス通信ネットワーク２３０のページングサイクルの変化に応じて変更されてもよい。別の例として、非通信期間の長さは、モバイルデバイス２１０が、当初予想されていたよりも速くチューンアウェイ２１９が正常に実行され得ることを判断することに応じて減少されてもよい。第２の要求２２０を受信すると、第１のワイヤレス通信ネットワーク２２０は第２の確認応答（図示せず）を送信してもよい。
【００３２】
図２はまた、説明したシステム２００の動作に対応するタイムライン２６０をも示し、ここで「Ｎ１」は第１のワイヤレス通信ネットワーク２２０を表し、「Ｎ２」は第２のワイヤレス通信ネットワーク２３０を表す。第１の要求／確認応答２４１はＮ１で生じてもよく、その後にＮ２での周期的なチューンアウェイ２５１が続く。次いで、チューンアウェイ２５１の長さを増加または減少させるために、第２の要求／確認応答２４２がＮ１で生じてもよく、その後にＮ２での変更されたチューンアウェイ２５２の発生が続く。
【００３３】
図３は、図１のシステム１００または図２のシステム２００での動作の特定の実施形態を示すラダー図３００である。図３００は、モバイルデバイス３０１と第１のワイヤレス通信ネットワーク３０２と第２のワイヤレス通信ネットワーク３０３との間の通信を示す。例示的な一実施形態では、モバイルデバイス３０１は図１のモバイルデバイス１１０または図２のモバイルデバイス２１０であってもよく、第１のワイヤレス通信ネットワーク３０２は図１の第１のワイヤレス通信ネットワーク１２０または図２の第１のワイヤレス通信ネットワーク２２０であってもよく、第２のワイヤレス通信ネットワーク３０３は図１の第２のワイヤレス通信ネットワーク１３０または図２の第２のワイヤレス通信ネットワーク２３０であってもよい。
【００３４】
図３に示すように、モバイルデバイス３０１は最初に非通信期間を求める要求３１１を第１のワイヤレス通信ネットワーク３０２に送信してもよく、確認応答３１２を第１のワイヤレス通信ネットワーク３０２から受信してもよい。要求３１１および確認応答３１２は、許可された非通信期間に対応する合意したチューンアウェイスケジュール、更新されたＤＴＸ／ＤＲＸスケジュールまたはそれらの任意の組合せを表してもよい。
【００３５】
モバイルデバイス３０１は次いで、合意したスケジュールに従って、第２のワイヤレス通信ネットワーク３０３への断続的なチューンアウェイ３１４、３１６、３１８、３２０、３２２とともに、第１のワイヤレス通信ネットワーク３０２との通信３１３、３１５、３１７、３２１を実施してもよい。モバイルデバイス３０１はまた、例示的な圧縮モード測定期間３１９などの１つまたは複数のスケジュールされた圧縮モード測定期間の間、信号測定を実行してもよい。
【００３６】
図４は、非通信期間を要求する方法４００の特定の実施形態を示す流れ図である。例示的な一実施形態では、方法４００は図１のモバイルデバイス１１０、図２のモバイルデバイス２１０または図３のモバイルデバイス３０１によって実行されてもよい。
【００３７】
方法４００は、４０２で、複数のサブスクリプションに関連するモバイルデバイスにおいて、モバイルデバイスに関するワイヤレス通信ネットワークの非通信期間として要求される期間を識別することを含んでもよい。この期間は、ページングサイクル情報、ＤＴＸ／ＤＲＸスケジュール、測定期間またはアプリケーションＱｏＳに基づいて識別されてもよい。たとえば、図１で、モバイルデバイス１１０は非通信期間として要求される期間を識別してもよい。
【００３８】
方法４００はまた、４０４で、モバイルデバイスからワイヤレス通信ネットワークへ要求を送ることを含んでもよい。この要求は、（たとえば、開始指標、長さおよび識別された期間の周期性を含むことによって）識別された期間を示してもよい。たとえば、図１で、モバイルデバイス１１０は第１のワイヤレス通信ネットワーク１２０に要求１１２を送ってもよい。
【００３９】
方法４００は、４０６で、確認応答メッセージを受信することをさらに含んでもよい。この確認応答メッセージは、ワイヤレス通信ネットワークによってその期間を要求される非通信期間として許可することを示してもよい。たとえば、図１で、モバイルデバイス１１０は確認応答メッセージ１１４を受信してもよい。
【００４０】
方法４００は、４０８で、非通信期間の開始を検出したことに応じて、モバイルデバイスをワイヤレス通信ネットワークから第２のワイヤレス通信ネットワークへチューニングすることを含んでもよい。方法４００はまた、４１０で、非通信期間の終了を検出したことに応じて、モバイルデバイスを第２のワイヤレス通信ネットワークからワイヤレス通信ネットワークに戻りチューニングすることを含んでもよい。たとえば、図１で、モバイルデバイス１１０はチューンアウェイ１１６を実行してもよい。
【００４１】
方法４００はまた、４１２で、圧縮モード期間の間、モバイルデバイスで信号測定を実行することを含んでもよい。この圧縮モード期間は、要求とは無関係にワイヤレス通信ネットワークによってスケジュールされてもよい。たとえば、図１で、モバイルデバイス１１０は圧縮モード期間の間、信号測定を実行してもよい。例示のために、この圧縮モード期間は、図３の圧縮モード測定期間３１９を参照しながら説明するようにスケジュールされてもよい。
【００４２】
図５は、要求される非通信期間の間、ワイヤレス通信ネットワークからモバイルデバイスへの通信を防止または中止する方法５００の特定の実施形態を示す流れ図である。例示的な一実施形態では、方法５００は、図１の第１のワイヤレス通信ネットワーク１２０、図２の第１のワイヤレス通信ネットワーク２２０または図３の第１のワイヤレス通信ネットワーク３０２などのワイヤレス通信ネットワークの基地局または他のネットワークデバイスによって実行されてもよい。
【００４３】
方法５００は、５０２で、モバイルデバイス（たとえば、複数のサブスクリプションに関連するモバイル電話など）から要求をワイヤレス通信ネットワークで受信することを含んでもよい。この要求は、モバイルデバイスに関するワイヤレス通信ネットワークの非通信期間としてモバイル通信デバイスによって要求される期間を示してもよい。たとえば、図１で、第１のワイヤレス通信ネットワーク１２０はモバイルデバイス１１０から要求１１２を受信してもよい。
【００４４】
方法５００はまた、５０４で、要求を受信することに応じて、モバイルデバイスに確認応答を送ることを含んでもよい。たとえば、図１で、第１のワイヤレス通信ネットワーク１２０はモバイルデバイス１１０に確認応答メッセージ１１４を送信してもよい。
【００４５】
方法５００は随意に、５０６で、要求に基づいてワイヤレス通信ネットワークのＤＴＸ／ＤＲＸスケジュールを更新することを含んでもよい。たとえば、図１で、第１のワイヤレス通信ネットワーク１２０は、第１のワイヤレス通信ネットワーク１２０とモバイルデバイス１１０との間の通信に適用可能なＤＴＸ／ＤＲＸスケジュールを更新してもよい。
【００４６】
方法５００は、５０８で、非通信期間の間、ワイヤレス通信ネットワークからモバイルデバイスへの通信を防止することをさらに含んでもよい。方法５００が（５０６で）ＤＴＸ／ＤＲＸスケジュールを更新することを含む場合、非通信期間はＤＴＸ／ＤＲＸ期間と一致してもよい。たとえば、図１で、第１のワイヤレス通信ネットワーク１２０は、第２のワイヤレス通信ネットワーク１３０へのチューンアウェイ１１６の間、第１のワイヤレス通信ネットワーク１２０とモバイルデバイス１１０との間の通信を防止してもよい。
【００４７】
方法５００は随意に、５１０で、圧縮モード期間の間、ワイヤレス通信ネットワークからモバイルデバイスへの通信を防止することを含んでもよい。この圧縮モード期間は、要求とは無関係にワイヤレス通信ネットワークによってスケジュールされてもよく、モバイルデバイスは、圧縮モード期間の間、信号測定を実行するようにスケジュールされてもよい。たとえば、図１で、第１のワイヤレス通信ネットワーク１２０はまた、要求１１２とは無関係に第１のワイヤレス通信ネットワーク１２０によって以前にスケジュールされた圧縮モード期間の間、モバイルデバイス１１０にメッセージを送ることを控えてもよい。
【００４８】
図６は、多重サブスクリプションをサポートするモバイル通信デバイス６００のブロック図である。一実施形態では、モバイル通信デバイス６００またはその構成要素は、図１のモバイルデバイス１１０、図２のモバイルデバイス２１０または図３のモバイルデバイス３０１を含むか、またはそれらの中に含まれてもよい。さらに、図４で説明する方法の全部または一部は、モバイル通信デバイス６００で、またはモバイル通信デバイス６００によって実行されてもよい。モバイル通信デバイス６００は、メモリ６３２に結合されたデジタル信号プロセッサ（ＤＳＰ）６１０などのプロセッサを含む。
【００４９】
図６に示す実施形態では、モバイル通信デバイス６００は第１のＳＩＭインターフェース６７０と第２のＳＩＭインターフェース６７４とを含む。第１のＳＩＭインターフェース６７０は、第１のサブスクリプションに関連する第１のＳＩＭ６７２を受信するように構成されてもよく、第２のＳＩＭインターフェース６７４は、第２のサブスクリプションに関連する第２のＳＩＭ６７６を受信するように構成されてもよい。たとえば、ＳＩＭインターフェース６７０、６７４のうちの少なくとも１つは、ＳＩＭカードのための収容スペースを有する本体と、受け取ったＳＩＭカードの導電端子（conducting terminals）を受け取るための複数の接続されたレセプタクル（multiple connected-through receptacles）とを含むＳＩＭカードコネクタであってもよい。ＳＩＭカードとの電気シグナリングコンタクトは、導電端子とレセプタクルを介して行われてもよい。例示的なインターフェースは、直列または並列（たとえば、６ピンまたは８ピン）の接続を含んでもよい。さらに、複数のＳＩＭカードのサイズ（たとえば、フルサイズ、ミニＳＩＭまたはマイクロＳＩＭなど）が収容されてもよい。
【００５０】
図６はまた、デジタル信号プロセッサ６１０とディスプレイ６２８とに結合されたディスプレイコントローラ６２６も示す。コーダ／デコーダ（コーデック）６３４はまた、デジタル信号プロセッサ６１０に結合され得る。スピーカー６３６およびマイクロフォン６３８はコーデック６３４に結合され得る。図６はまた、コントローラ６４０（たとえば、図２のコントローラ２１５など）が、少なくとも１つのワイヤレスアンテナ６４２と少なくとも１つの送信機６８０と通信中のデジタル信号プロセッサ６１０とモデム６４１とに結合することができることも示す。コントローラ６４０は、単一のＲＸ／ＴＸチェーンへのアクセス（たとえば、ＤＳＰ６１０、モデル６４１、アンテナ６４２および送信機６８０のうちの１つまたは複数へのアクセスなど）を調停またはそれ以外に制御してもよい。この調停は、モバイル通信デバイス６００とワイヤレス通信ネットワークによって合意されたチューンアウェイスケジュールに基づいてもよい。コントローラ６４０はまた、モバイル通信デバイス６００のチューニングを１つのワイヤレス通信ネットワークから別のワイヤレス通信ネットワークへ切り替えてもよい。
【００５１】
メモリ６３２は、命令を記憶する非一時的有形コンピュータ可読媒体であってもよい。命令は、本明細書で説明した１つもしくは複数の機能または方法を実行するために、ＤＳＰ６１０によって実行可能であり得る。たとえば、メモリ６３２は、１つまたは複数の非通信期間を識別するためにＤＳＰ６１０によって実行可能な命令６６０を含んでもよい。メモリ６３２はまた、１つまたは複数の要求される非通信期間を示す（たとえば、送信機６８０によって送られる）１つまたは複数の要求を生成するためにＤＳＰ６１０によって実行可能な命令６６２を含んでもよい。
【００５２】
特定の一実施形態では、ＤＳＰ６１０、ディスプレイコントローラ６２６、メモリ６３２、コーデック６３４、コントローラ６４０およびモデム６４１は、システムインパッケージまたはシステムオンチップデバイス６２２中に含まれる。特定の実施形態では、入力デバイス６３０および電源６４４はシステムオンチップデバイス６２２に結合される。さらに、特定の実施形態では、図６に示すように、表示デバイス６２８、入力デバイス６３０、スピーカー６３６、マイクロフォン６３８、ワイヤレスアンテナ６４２、送信機６８０、電源６４４、第１のＳＩＭ６７２、第１のＳＩＭインターフェース６７０、第２のＳＩＭ６７６および第２のＳＩＭインターフェース６７４は、システムオンチップデバイス６２２の外部にある。しかしながら、表示デバイス６２８、入力デバイス６３０、スピーカー６３６、マイクロフォン６３８、ワイヤレスアンテナ６４２、送信機６８０、電源６４４、第１のＳＩＭ６７２、第１のＳＩＭインターフェース６７０、第２のＳＩＭ６７６および第２のＳＩＭインターフェース６７４の各々は、インターフェースまたはコントローラなどのシステムオンチップデバイス６２２の構成要素に結合され得る。
【００５３】
特定の実施形態では、図６のモバイル通信デバイス６００の１つまたは複数の構成要素または対応する構成要素は、ネットワーク側の基地局またはタワーの中に含まれてもよい。たとえば、ワイヤレス通信ネットワークの基地局は、（たとえば、モバイルデバイスから非通信期間を求める要求を受信するために動作可能な）１つまたは複数のアンテナと、（たとえば、モバイルデバイスに確認応答メッセージを送信するために動作可能な）１つまたは複数の送信機と、モデムと、プロセッサと、特定のモバイルデバイスに対して許可された非通信期間の間、基地局から特定のモバイルデバイスへの通信を防止または中止するためにプロセッサによって実行可能な命令を記憶するメモリとを含んでもよい。
【００５４】
本明細書で開示した実施形態に関して説明した様々な例示的な論理ブロック、構成、モジュール、回路、およびアルゴリズムステップは、電子ハードウェア、コンピュータソフトウェア、または両方の組合せとして実装でき得ることを、当業者はさらに諒解されよう。様々な例示的な構成要素、ブロック、構成、モジュール、回路、およびステップを、上記では概して、それらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装でき得るが、そのような実装の決定は、本開示の範囲からの逸脱を生じるものと解釈すべきではない。
【００５５】
本明細書で開示する実施形態に関して説明する方法またはアルゴリズムのステップは、直接ハードウェアで実施するか、プロセッサによって実行されるソフトウェアモジュールで実施するか、またはその２つの組合せで実施されてもよい。ソフトウェアモジュールは、ランダムアクセスメモリ（ＲＡＭ）、フラッシュメモリ、読取り専用メモリ（ＲＯＭ）、プログラマブル読取り専用メモリ（ＰＲＯＭ）、消去可能プログラマブル読取り専用メモリ（ＥＰＲＯＭ）、電気消去可能プログラマブル読取り専用メモリ（ＥＥＰＲＯＭ（登録商標））、レジスタ、ハードディスク、リムーバブルディスク、コンパクトディスク読取り専用メモリ（ＣＤ−ＲＯＭ）、または当技術分野で知られている他の形態の非一時的記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化されてもよい。プロセッサおよび記憶媒体は特定用途向け集積回路（ＡＳＩＣ）中に常駐してもよい。ＡＳＩＣはコンピューティングデバイスまたはユーザ端末（たとえば、モバイル電話またはＰＤＡなど）の中に常駐してもよい。代替として、プロセッサおよび記憶媒体は、コンピューティングデバイスまたはユーザ端末中に個別構成要素として常駐してもよい。
【００５６】
開示した実施形態の上記の説明は、開示した実施形態を当業者が作成または使用できるように行ったものである。これらの実施形態への様々な変更は当業者には容易に明らかになり、本明細書で定義された原理は本開示の範囲から逸脱することなく他の実施形態に適用されてもよい。したがって、本開示は、本明細書で開示する実施形態に限定されるものではなく、以下の特許請求の範囲によって定義される原理および新規の特徴と合致することが可能な最も広い範囲が与えられるべきものである。
以下に、本願出願の当初の特許請求の範囲に記載された発明を付記する。
［１］複数のサブスクリプションに関連するモバイルデバイスからワイヤレス通信ネットワークへ要求を送ることであって、前記要求が、前記モバイルデバイスによって要求される期間を前記モバイルデバイスに関する前記ワイヤレス通信ネットワークの非通信期間として示すことを備える、方法。
［２］前記要求が前記期間の開始指標、前記期間の長さ、前記期間の周期性またはそれらの任意の組合せを含む、［１］に記載の方法。
［３］前記モバイルデバイスで前記期間を識別することをさらに備える、［１］に記載の方法。
［４］前記期間は、別のワイヤレス通信ネットワークのページングサイクル情報、前記ワイヤレス通信ネットワークの不連続送信（ＤＴＸ）スケジュール、前記モバイルデバイスの不連続受信（ＤＲＸ）スケジュール、前記モバイルデバイスの測定期間、アプリケーションのサービス品質（ＱｏＳ）またはそれらの任意の組合せに基づいて前記モバイルデバイスで識別される、［３］に記載の方法。
［５］前記ワイヤレス通信ネットワークによって前記期間を前記要求される非通信期間として許可することを示す確認応答メッセージを受信することをさらに備える、［１］に記載の方法。
［６］前記非通信期間の開始と、前記非通信期間の終了と、前記非通信期間の長さのうちの少なくとも１つを更新するために、前記ワイヤレス通信ネットワークに第２の要求を送ることをさらに備える、［５］に記載の方法。
［７］前記非通信期間の開始に応じて、前記モバイルデバイスを前記ワイヤレス通信ネットワークから第２のワイヤレス通信ネットワークへチューニングすることをさらに備える、［５］に記載の方法。
［８］前記非通信期間の終了に応じて、前記モバイルデバイスを前記第２のワイヤレス通信ネットワークから前記ワイヤレス通信ネットワークへチューニングすることをさらに備える、［７］に記載の方法。
［９］前記要求が動的なレイヤ１またはレイヤ２通信セッションを介して送信される、［１］に記載の方法。
［１０］前記動的なレイヤ１またはレイヤ２通信セッションが約１０ミリ秒の持続時間を有する、［９］に記載の方法。
［１１］前記要求がレイヤ３通信セッションを介して送信される、［１］に記載の方法。
［１２］前記レイヤ３通信セッションが１００ミリ秒以上の持続時間を有する、［１１］に記載の方法。
［１３］前記モバイルデバイスが、第１のサブスクリプションに関連する第１の加入者識別モジュール（ＳＩＭ）と、第２のサブスクリプションに関連する第２の加入者識別モジュールと、前記第１のＳＩＭと前記第２のＳＩＭによって共有される受信／送信（ＲＸ／ＴＸ）チェーンとを備える、［１］に記載の方法に記載の方法。
［１４］前記第１のサブスクリプションと前記第２のサブスクリプションのうちの少なくとも１つが、グローバルシステムフォーモバイルコミュニケーション（ＧＳＭ）サブスクリプション、汎用パケット無線サービス（ＧＰＲＳ）サブスクリプション、ＧＳＭ進化型高速データレート（ＥＤＧＥ）サブスクリプション、ユニバーサルモバイル通信システム（ＵＭＴＳ）サブスクリプション、汎用無線アクセスネットワーク（ＧＲＡＮ）サブスクリプション、エボリューションデータ最適化（１ｘ／ＤＯ）サブスクリプション、ロングタームエボリューション（ＬＴＥ）サブスクリプション、広帯域符号分割多元接続（ＷＣＤＭＡ）サブスクリプション、またはそれらの任意の組合せである、［１３］に記載の方法。
［１５］各々が加入者識別モジュール（ＳＩＭ）を受信するように構成された複数のＳＩＭインターフェースと、
プロセッサと、
前記モバイルデバイスからワイヤレス通信ネットワークへ要求を送るために前記プロセッサによって実行可能な命令を記憶するメモリであって、前記要求が、前記モバイルデバイスによって要求される期間を前記モバイルデバイスに関する前記ワイヤレス通信ネットワークの非通信期間として示す、メモリとを備える、モバイルデバイス。
［１６］第１のサブスクリプションを表す、第１のＳＩＭインターフェースに結合された第１のＳＩＭと、
第２のサブスクリプションを表す、第２のＳＩＭインターフェースに結合された第２のＳＩＭと、
前記第１のＳＩＭと前記第２のＳＩＭによって共有され、前記ワイヤレス通信ネットワークを介して通信するように構成された受信／送信（ＲＸ／ＴＸ）チェーンとをさらに備える、［１５］に記載のモバイルデバイス。
［１７］プロセッサによって実行されたとき、前記プロセッサに、
複数のサブスクリプションに関連するモバイルデバイスからワイヤレス通信ネットワークへ要求を送らせる命令であって、前記要求が、前記モバイルデバイスによって要求される期間を前記モバイルデバイスに関する前記ワイヤレス通信ネットワークの非通信期間として示す、命令を備える、非一時的コンピュータ可読媒体。
［１８］プロセッサによって実行されたとき、前記プロセッサに、前記モバイルデバイスで前記期間を識別させる命令をさらに備える、［１７］に記載の非一時的コンピュータ可読媒体。
［１９］複数のサブスクリプションに関連するモバイルデバイスに関するワイヤレス通信ネットワークの非通信期間として要求される少なくとも１つの期間を識別するための手段と、
前記少なくとも１つの識別された期間を示す要求を前記ワイヤレス通信ネットワークに送るための手段とを備える、装置。
［２０］前記モバイルデバイスのチューニングを前記ワイヤレス通信ネットワークから少なくとも１つの第２のワイヤレス通信ネットワークへ切り替えるためのチューンアウェイ手段をさらに備える、［１９］に記載の装置。
［２１］複数のサブスクリプションに関連するモバイルデバイスからワイヤレス通信ネットワークで要求を受信することであって、前記要求が、前記モバイルデバイスによって要求される期間を前記モバイルデバイスに関する前記ワイヤレス通信ネットワークの非通信期間として示すことを備える、方法。
［２２］前記要求を受信することに応じて、前記モバイルデバイスに確認応答メッセージを送ることと、
前記非通信期間の間、前記ワイヤレス通信ネットワークから前記モバイルデバイスへの通信を防止することをさらに備える、［２１］に記載の方法。
［２３］前記非通信期間の間、前記ワイヤレス通信ネットワークから前記モバイルデバイスへの通信を防止することが、前記非通信期間の間、前記モバイルデバイスにデータを送信しないことを備える、［２２］に記載の方法。
［２４］前記要求とは無関係に前記ワイヤレス通信ネットワークによってスケジュールされた圧縮モード期間の間、前記ワイヤレス通信ネットワークと前記モバイルデバイスとの間の通信を防止することをさらに備える、［２２］に記載の方法。
［２５］前記モバイルデバイスが前記圧縮モード期間の間、信号測定を実行するようにスケジュールされる、［２４］に記載の方法。
［２６］前記要求に基づいて、前記ワイヤレス通信ネットワークの不連続送信／不連続受信（ＤＴＸ／ＤＲＸ）スケジュールを更新することをさらに備える、［２１］に記載の方法。
［２７］複数のサブスクリプションに関連するモバイルデバイスからワイヤレス通信ネットワークで要求を受信するように構成されることであって、前記要求が、前記モバイルデバイスによって要求される期間を前記モバイルデバイスに関する前記ワイヤレス通信ネットワークの非通信期間として示すことと、
前記要求を受信することに応じて、前記モバイルデバイスに確認応答メッセージを送ることとを行うように構成されたインターフェースと、
プロセッサと、
前記非通信期間の間、前記ワイヤレス通信ネットワークと前記モバイルデバイスとの間の通信を防止するためにプロセッサによって実行可能な命令を記憶するメモリとを備える、装置。
［２８］前記命令が、前記要求とは無関係に前記ワイヤレス通信ネットワークによってスケジュールされた圧縮モード期間の間、前記ワイヤレス通信ネットワークと前記モバイルデバイスとの間の通信を防止するためにプロセッサによってさらに実行可能である、［２７］に記載の装置。
［２９］プロセッサによって実行されたとき、前記プロセッサに、
複数のサブスクリプションに関連するモバイルデバイスからワイヤレス通信ネットワークで要求を受信させる命令であって、前記要求が、前記モバイルデバイスによって要求される期間を前記モバイルデバイスに関する前記ワイヤレス通信ネットワークの非通信期間として示す、命令を備える、非一時的コンピュータ可読媒体。
［３０］プロセッサによって実行されたとき、前記プロセッサに、
前記要求を受信することに応じて、前記モバイルデバイスに確認応答メッセージを送信させ、
前記非通信期間の間、前記ワイヤレス通信ネットワークと前記モバイルデバイスとの間の通信を防止させる命令をさらに備える、［２９］に記載の非一時的コンピュータ可読媒体。
［３１］複数のサブスクリプションに関連するモバイルデバイスからワイヤレス通信ネットワークで要求を受信するための手段であって、前記要求が、前記モバイルデバイスによって要求される期間を前記モバイルデバイスに関する前記ワイヤレス通信ネットワークの非通信期間として示す、手段と、
前記非通信期間の間、前記ワイヤレス通信ネットワークと前記モバイルデバイスとの間の通信を防止するための手段とを備える、装置。
［３２］前記要求を受信したことに応じて、確認応答メッセージを前記モバイルデバイスに送るための手段をさらに備える、［３１］に記載の装置。
【図１】
0005770310.tif 000002
【図２】
0005770310.tif 000003
【図３】
0005770310.tif 000004
【図４】
0005770310.tif 000005
【図５】
0005770310.tif 000006
【図６】
0005770310.tif 000007